(57)【特許請求の範囲】
【請求項１】
浴室の側壁に固定される固定台と、この固定台に横軸を中心に側壁の側に回動自在に取り付けられた可動台とでなり、この可動台の前端が固定台の前端より洗い場側に突き出されて形成された洗い場用カウンターであって、上記の固定台が、洗い場側に下り勾配に形成され、上記の可動台が側壁の側に下り勾配に形成されたことを特徴とする洗い場用カウンター。
【請求項２】
請求項１記載の洗い場用カウンターであって、可動台の起伏姿勢を保持するロック機構を備えてなることを特徴とする洗い場用カウンター。
【請求項３】
請求項１又は２記載の洗い場用カウンターであって、固定台の前側中央部が側壁側に凹まれて凹部に形成され、可動台がこの凹部に係合されて固定台と略同じ高さに取り付けられたことを特徴とする洗い場用カウンター。
【請求項４】
請求項３記載の洗い場用カウンターであって、可動台の後方の固定台の位置に、洗面器の底を受ける凹段差状の受け部が形成されたことを特徴とする洗い場用カウンター。
【請求項５】
請求項１乃至４の何れかに記載の洗い場用カウンターであって、可動台の裏面に、入浴用具の引っ掛け具が取り付けられてなることを特徴とする洗い場用カウンター。
【発明の詳細な説明】
【０００１】
【発明の属する技術分野】
本発明は、洗い場用カウンターに関し、更に詳しくは洗面器等の置き台として使用する可動台を、起伏操作可能に形成した洗い場用カウンターに関するものである。
【０００２】
【従来の技術】
従来この種のカウンターとしては、例えば浴室の側壁に固定する固定台と、この固定台に横軸を中心に側壁の側に回動自在に取り付けた可動台とでなり、この可動台の前端を固定台の前端より洗い場側に突き出させて形成したものがある（例えば特許第２７３２７４９号公報参照）。
【０００３】
【発明が解決しようとする課題】
ところでこの種のカウンターは、可動台を起立させることにより、洗い場の有効スペースを拡張できるが、可動台の上面に洗面器等を載せて使用するため、洗面器等が洗い場側に滑り落ち易いものである。又この種のカウンターは、可動台の前端が固定台の前端より洗い場側に突き出されているため、可動台の上面から流れ落ちる水が入浴者の足元や太股の内側等にかかり易く、更には可動台、固定台の上面が水垢で汚れ易くなり易いものである。
【０００４】
従ってこの種のカウンターは、可動台を起伏操作できるだけではなく、洗面器等が洗い場側に滑り落ちることを防止でき、又可動台の上面から落ちる水が入浴者に与える不快感を一掃でき、更には上面の水掃けが良くなるよう、形成されているのが望ましい。
【０００５】
しかるに従来品は、可動台を単に起伏操作できるだけであったから、従来品を使用すると、洗面器等が洗い場側に滑り落ちたり、又可動台の上面から落下する水滴が足元等にかかり、更には可動台、固定台の上面に水垢が付き易いものであった。
【０００６】
本発明は、このような従来品の問題点に鑑み、提案されたものである。
従って本発明の技術的課題は、可動台を起伏操作可能に形成した洗い場用カウンターにおいて、可動台の上面から洗面器等の載置品が滑り落ちることを防止でき、又足元に落ちる水が入浴者に与える不快感を一掃でき、更には可動台、固定台の上面の水掃けが良くなるよう形成した洗い場用カウンターを提供することにある。
【０００７】
【課題を解決するための手段】
本発明は、上記の課題を解決するために、次のような技術的手段を採る。
【０００８】
即ち本発明は、図１等に示されるように、浴室の側壁１に固定される固定台３と、この固定台３に横軸４を中心に側壁１の側に回動自在に取り付けられた可動台５とでなり、この可動台５の前端５ａが固定台３の前端３ａより洗い場２側に突き出されて形成された洗い場用カウンターであって、上記の固定台３が、洗い場２側に下り勾配に形成され、上記の可動台５が側壁１の側に下り勾配に形成されたことを特徴とする（請求項１）。
【０００９】
本発明の場合、固定台３と可動台５の勾配は、各台の上面の大きさ、形態等により適宜選定されるので良いが、具体的には０．５°〜２°程度が好ましい。なお図1等に示される固定台３は、浴室の側壁１に後付けで固定されるものであるが、本発明の場合、固定台３はこれに限られない。即ち固定台３は、例えば浴室の側壁１の一部を形成する垂直状のパネル部を一体的に備え、浴室の側壁１の一部を形作るよう側壁1に固定される形式のものでも良い。
【００１０】
又本発明は、上記可動台５の起伏姿勢を保持するロック機構１０を備えてなるのが好ましい（請求項２）。
この本発明の場合は、可動台の起伏姿勢を確実に保持でき、又入浴者に可動台の起伏操作感や手応えを感じさせることができるからである。
【００１１】
又本発明のカウンターは、図１、図３等に示されるように、固定台３の前側中央部が側壁１側に凹まれて凹部３ｂに形成され、可動台５がこの凹部３ｂに係合されて固定台３と略同じ高さに取り付けられるのが好ましい（請求項３）。
【００１２】
この場合は、可動台５が固定台３の凹部３ｂに係合するため、可動台５の前端５ａの突き出し寸法を抑えながら、且つ可動台５を洗面器１８（図１４等参照）の置き台として使用可能な大きさに形成できる。又この場合は、可動台５が固定台３と略同じ高さのため、図１４に示されるように、可動台５から洗面器１８が後方側に滑って移動しても、固定台３の上面で受け止めることができる。
【００１３】
又本発明の場合は、図１３、図１４に示されるように、可動台５の後方の固定台３の位置に、洗面器１８の底を受ける凹段差状の受け部３ｃが形成されるのが好ましい（請求項４）。
【００１４】
この場合は、受け部３ｃで洗面器１８の位置ずれを防止できるから、洗面器１８を安定した状態で使用できる。なおこの本発明の場合は、凹段差状の受け部３ｃに代え、図１５に示されるように、固定台３が可動台５より低くなるよう、可動台５を固定台３に回動自在に取り付けてなるのでも良い。
【００１５】
又本発明は、図１６、図１７に示されるように、可動台５の裏面に、入浴用具１９の引っ掛け具２０が取り付けられてなるのでも良い（請求項５）。
【００１６】
この場合は、可動台５を起立させたとき、その裏面を入浴用具１９の一時的な取り付け箇所に利用できるから、可動台５を活用でき、その分、使い勝手が良くなる、という利点がある。ここで、入浴用具１９の引っ掛け具２０としては、例えば入浴用具１９としてのシャワーヘッドを掛けるためのホルダー（図１６参照）や、入浴用具１９としてのタオルを掛けるためのバー（図１７参照）等がある。
【００１７】
更に本発明は、図１８〜図２０に示されるように、可動台５及び固定台３の下側の化粧カバー８、９に水抜き用の孔８１や切り欠き部９１が形成され、内部に浸入した水を排水できるよう形成されるのでも良い。
【００１８】
【発明の実施の形態】
以下、本発明の好適な一実施形態を添付図面に従って説明する。
【００１９】
本発明は、図１等に示されるように、浴室の側壁１に固定されて洗い場２側に突き出される固定台３と、この固定台３に横軸４を中心に側壁１の側に回動自在に取り付けられた可動台５とでなる。
【００２０】
上記の固定台３は、洗い場２側に下り勾配に形成されている。固定台３は、可動台５の後方の幅Ｄ（図１Ａ参照）が、シャンプー容器等の小物を載置した状態でも可動台５を引き起こすことができるよう、この実施形態では１００（ｍｍ）に選定されている。
【００２１】
上記の可動台５は、円弧状に形成された前端５ａが固定台３の前端３ａより洗い場２側に突き出されて形成されている。又この実施形態の場合、固定台３の前側中央部は、側壁１の側に凹まれて凹部３ｂに形成され、可動台５がこの凹部３ｂに係合されて固定台３と略同じ高さに取り付けられている。
【００２２】
又可動台５は、側壁１の側に下り勾配に形成されている。この実施形態の場合、可動台５と固定台３の勾配は、可動台５が２°、固定台３が１°に選定され、可動台５の方が水掃けが良い状態に形成されている。
【００２３】
６は、側壁１にネジ止めされた左右一対の支持金具である。上記の横軸４は、この支持金具６に軸支されている。又支持金具６は、内面にストッパー７が設けられている。上記の可動台５は、この実施形態では下側に例えば金属製の化粧カバー８が取り付けられている。この化粧カバー８は、上記のストッパー７に係止する延長片８ａを両側に備えてなる。
【００２４】
而して本発明の場合、固定台３の上面の水滴は、図２に示されるように、前端３ａから洗い場２側に流れ落ちる。又可動台５は、側壁１の側に下り勾配に形成されているから、水滴は矢示のように、固定台３との隙間Ｓから落下する。又可動台５に置かれた洗面器１８（図１４等参照）は、洗い場２の側に滑り落ちることがない。
【００２５】
以上の処において、本発明は、図３等に示されるように、可動台５の起伏姿勢を保持するためのロック機構１０を備えてなるのでも良い。このロック機構１０は、可動台５に上記の横軸４に沿って設けられたロックシャフト１１と、このロックシャフト１１を横軸４の側に常時牽引するバネ１２と、又可動台５の起伏動作時にロックシャフト１１を前端縁１３ａに摺接させて案内する横軸４支承用のブラケット１３とで形成されている。
【００２６】
上記の横軸４とロックシャフト１１は、可動台５の内部の両側に設けられた金属製の支持板１４から、外方に突き出されて設けられている。又上記のバネ１２は、各端部が横軸４とロックシャフト１１に掛けられ、ロックシャフト１１はこのバネ１２で長孔１５の上端縁に当圧するよう牽引されている。
【００２７】
又上記のブラケット１３は、その前端縁１３ａに、可動台５の起伏時にロックシャフト１１を係合させる切り欠き１３１と、傾倒させた可動台５を支持する支持部１３２とを備えてなる。支持部１３２は、屈曲状に凹まれて形成され、この支持部１３２に可動台５の側面から突き出されたストッパー部材１６が係止される。
【００２８】
次にこの本発明カウンターの作用を説明する。
可動台５は、図８に示されるように、水平姿勢をとるときはロックシャフト１１が下側の切り欠き１３１に係合される。この場合ストッパー部材１６が支持部１３２に係止される結果、可動台５は下降することなく水平に保持される。
【００２９】
又この状態から入浴者が可動台５をバネ１２の牽引力に抗して引き起こすと、ロックシャフト１１はブラケット１３の前端縁１３ａに沿って移動し、可動台５が垂直位置に至ると図９に示されるように、ロックシャフト１１がバネ１２の牽引力で上側の切り欠き１３１に係合する。この結果可動台５が、垂直状に保持されるものである。
【００３０】
なおこの本発明の場合、上記のロックシャフト１１は、図１１、図１２に示されるように、略Ｗ字状の係合部材１７と組み合わされ、この係合部材１７によって係合可能に形成されるのでも良い。
【００３１】
【発明の効果】
以上説明したように本発明は、固定台を洗い場側に下り勾配に形成すると共に、可動台を側壁の側に下り勾配に形成したものである。
【００３２】
従って本発明の場合は、可動台に洗面器等を載せたとき、洗い場の側に滑り落ちることを防止でき、又可動台の上面の水を固定台との隙間から排水できるから、この種の水が入浴者に与える不快感を一掃でき、更には固定台、可動台の上面の水掃けが良くなる、という利点がある。
【図面の簡単な説明】
【図１】本発明カウンターの好適な一実施形態を示し、Ａは要部平面図、ＢはＡのＢーＢ線における一部を切欠した要部拡大断面図である。
【図２】同上カウンターの使用状態を示す要部斜視図である。
【図３】本発明カウンターの要部斜視図である。
【図４】図３の本発明カウンターの要部分解斜視図である。
【図５】図３の本発明カウンターの要部平面図である。
【図６】図５のＶＩーＶＩ線断面図である。
【図７】  可動台の起立時における、図５のＶＩ−ＶＩ線断面図である。
【図８】図５のVIIIーVIII線断面図である。
【図９】  可動台の起立時における、図５のVIII−VIII線断面図である。
【図１０】図５のＸーＸ線断面図である。
【図１１】ロックシャフトの他の係合事例を示す要部側面図である。
【図１２】図１１の実施形態で可動台が傾倒した状態の要部側面図である。
【図１３】固定台の他の実施形態を示す要部斜視図である。
【図１４】図１３の実施形態の作用を説明するための要部側面図である。
【図１５】固定台を可動台より低く設けた実施形態を示す要部側面図である。
【図１６】入浴用具の引っ掛け具を示す要部斜視図である。
【図１７】引っ掛け具の他の実施形態を示す要部斜視図である。
【図１８】可動台の他の実施形態を示す要部斜視図である。
【図１９】図１８の実施形態で可動台が起立したときの水抜き作用を説明するための要部断面図である。
【図２０】図１８の実施形態で可動台が傾倒したときの水抜き作用を説明するための要部断面図である。
【符号の説明】
１    側壁
２    洗い場
３    固定台
３ａ  前端
４    横軸
５    可動台
５ａ  前端
【図１】
0003697993.tif 000002
【図２】
0003697993.tif 000003
【図３】
0003697993.tif 000004
【図４】
0003697993.tif 000005
【図５】
0003697993.tif 000006
【図６】
0003697993.tif 000007
【図７】
0003697993.tif 000008
【図８】
0003697993.tif 000009
【図９】
0003697993.tif 000010
【図１０】
0003697993.tif 000011
【図１１】
0003697993.tif 000012
【図１２】
0003697993.tif 000013
【図１３】
0003697993.tif 000014
【図１４】
0003697993.tif 000015
【図１５】
0003697993.tif 000016
【図１６】
0003697993.tif 000017
【図１７】
0003697993.tif 000018
【図１８】
0003697993.tif 000019
【図１９】
0003697993.tif 000020
【図２０】
0003697993.tif 000021